(57)【要約】  【課題】限られたスペース内に大量のＣＤ等の記録媒体ディスクを収納することが可能なディスク収納ケースを提供する。  【解決手段】それぞれディスク１０を収容した複数のシート状保護袋１１が収納されてなるディスク収納ケース１おいて、複数の保護袋１１に、綴込み式ファイリング用具への綴込みを可能にするパンチ孔１５，１５を設ける。複数の保護袋１１は、それらの一辺をケース１に対し取外し可能に固着された状態で収納される。【選択図】        図４
2006036275.tif 000002
【特許請求の範囲】
【請求項１】
それぞれディスクを収容した複数のシート状保護袋が収納されてなるディスク収納ケースにおいて、
前記複数の保護袋が、綴込み式ファイリング用具への綴込みを可能にするパンチ孔を備えてなることを特徴とするディスク収納ケース。
【請求項２】
前記複数の保護袋が、前記ケースに対し非固着状態で収納されてなることを特徴とする請求項１記載のディスク収納ケース。
【請求項３】
前記複数の保護袋が、一側縁を前記ケースに対し取外し可能に固着された状態で収納されてなることを特徴とする請求項１記載のディスク収納ケース。
【発明の詳細な説明】
【技術分野】
【０００１】
本発明はディスク収納ケースに関し、特に、ＣＤ、ＤＶＤ等の記録媒体ディスクを収納するケースに関するものである。
【背景技術】
【０００２】
従来、一般に使用されているＣＤ収納ケース(以下「標準ケース」と呼ぶ)は、ディスクを収納する片面全体が開放面とされたケース本体と、このケース本体の開放面を開閉すべくケース本体にヒンジ結合された開閉蓋とによって構成され、ケース本体の内面中心部には、記録媒体ディスクの中心孔に嵌合してディスクを着脱自在に弾性的に支持する円形のディスククランパが突設されている。
【０００３】
しかしながら、この標準ケースは、１個のケースに１枚のディスクしか収容できないので、所蔵するディスクの枚数の増加に伴って収納スペースの確保に苦慮するという問題が生じている。
【０００４】
そのため、例えば不織布、紙、プラスチック等からなるシート状保護袋内に容れた複数のディスクを１個のケース内に収容することによって、省スペース化とケースの低廉化とを図ることが従来から行なわれているが、ディスクの枚数が増加すると、やはりケースの存在がさらなる省スペース化の障害になっていた。
【発明の開示】
【発明が解決しようとする課題】
【０００５】
上述の事情に鑑み、本発明の目的は、限られたスペース内に大量のディスクを収納することが可能なディスク収納ケースを提供することにある。
【課題を解決するための手段】
【０００６】
本発明は、それぞれディスクを収容した複数のシート状保護袋が収納されてなるディスク収納ケースにおいて、上記保護袋が、綴込み式ファイリング用具への綴込みを可能にするパンチ孔を備えてなることを特徴とするものである。
【０００７】
上記複数の保護袋は、上記ケースに対し非固着状態で収納されていても、あるいは一側縁を上記ケースに対し取外し可能に固着された状態で収納されていてもよい。上記非固着状態とは、上記複数の保護袋がいわゆる「ばら」で収納されている状態を意味し、また、上記取外し可能に固着された状態とは、粘着剤を介した引剥がし可能な固着状態、または上記保護袋に施されたミシン目からの引裂き可能な連結状態、または鋏による切断可能な連結状態、または取外し可能な押さえバネによる係止状態を含む。さらに、２個以上のパンチ孔を保護袋の直線状の一辺に沿って設けておき、上記パンチ孔に嵌挿される、パンチ孔と同数、同間隔にケース側に設けた先端が開口した中空円筒と、これら中空円筒に同時に嵌入される複数の突起を有する係止具との組合せからなる綴じ部材による綴じ状態をも含む。
【発明の効果】
【０００８】
本発明によるディスク収納ケースによれば、このケース内に収納された複数の保護袋が、綴込み式ファイリング用具への綴込みを可能にするパンチ孔を備えていることにより、ディスクの枚数が増加した場合には、保護袋ごとケースから取り出しまたは取り外して、ファイリング用具へ綴じ込むことができ、これによって、限られたスペース内に大量のディスクを収納することが可能になる。
【０００９】
また、ユーザの嗜好に応じた分別ファイリングが可能になる利点もある。
【発明を実施するための最良の形態】
【００１０】
図１は本発明によるディスク収納ケースの一つの実施の形態を閉状態で示す斜視図、図２は図１のケース内に収納される、ディスクを収容した保護袋の平面図、図３は図２の保護袋内からディスクを取り出すときの状態を示す平面図、図４は図１のケースを開いた状態の斜視図である。
【００１１】
図１および図４において、このディスク収納ケース１は、ほぼ正方形のケース本体２と、このケース本体２の一辺に、短冊状の背表紙部３を介して開閉可能に連結されてケース本体２上に被さるほぼ正方形の蓋部材４とからなり、背表紙部３は、その内面が保護袋固着部５（図４参照）を形成するとともに、この背表紙部３の互いにほぼ平行な両縁が、ケース本体２および蓋部材４のヒンジ部を構成している。このケース１内には、それぞれディスク１０を収容した、図２に示すようなシート状保護袋１１が複数枚収納されている。
【００１２】
ディスク１０の保護袋１１は、例えば不織布によりほぼ正方形のシート状に形成され、上縁１１ａと、後述する透孔１５，１５を近傍に備えた側縁１１ｂと、この側縁１１ｂに対向する側縁１１ｃと、下縁とを備えている。
【００１３】
保護袋１１の表側には、上縁１１ａと側縁１１ｂの近傍から中心部方向に向かう直線状の切れ目１２ａと、この切れ目１２ａの先端から上縁１１ａとほぼ平行に側縁１１ｃまで延びる切れ目１２ｂとが連続的に施され、さらに側縁１１ｃの上部が切り開かれていることにより、図３に示すように、保護袋１１の上縁１１ａに平行な折曲げ線Ｌから上方へ開いてディスク１０の上部を露出させる跳上げ蓋１３が形成されている。保護袋１１の上縁１１ａと折曲げ線Ｌとの間には、狭い帯状の領域１４がディスク１０の上端部に僅かに懸かかるように形成されている。
【００１４】
この保護袋１１からディスク１０を取り出すときには、先ず図３に示すように跳上げ蓋１３を開き、さらにこの蓋１３を上方から保護袋１１の裏面側に回すように引っ張ることによって、領域１４をディスク１０の表側から裏側に移してディスク１０の上端部までを露出させる。そして、このディスク１０の上端部を指で摘んで図３の矢印Ａに示す斜め右上方へ、すなわち、上縁１１ａと側縁１１ｃとの間の隅部側に引き出すことによって、ディスク１０を保護袋１１から取り出すことができる。
【００１５】
保護袋１１の側縁１１ｂの近傍には、綴込み式ファイリング用具（バインダ）への綴込みを可能にする２個の透孔（パンチ孔）１５，１５が側縁１１ｂに沿って所定の間隔を保って形成されている。そしてこの側縁１１ｂは、図４に示すように、粘着剤を介して背表紙部３の内面の保護袋固着部５に固着されている。
【００１６】
したがって、保護袋１１は、図５に示すように、矢印Ｂに示す方向に強く引っ張ることによって保護袋１１の側縁１１ｂをケース１の保護袋固着部５から引き剥がして、ケース１から取り外すことができる。
【００１７】
ケース１から取り外したディスク入り保護袋１１は、その透孔１５，１５を利用して、図６に示すように、綴じ金具２１，２１を備えた市販のバインダ２０に綴じ込むことができる。その場合に、ラベル２２を用いて保護袋１１にタグ２３を付してもよい。
【００１８】
また、図７に示すような構造を有する市販のバインダ２０′に綴じ込むこともできる。このバインダ２０′は、保護袋１１の透孔１５，１５と同数、同間隔に設けられた先端が開口する中空円筒２５，２５と、これら中空円筒２５，２５に同時に嵌入される２本のロッド２７，２７を有する係止具２６との組合せからなる綴じ部材２４を備えたものである。
【００１９】
このように、本実施の形態によれば、複数の保護袋１１がケース１内に取外し可能に収容され、かつバインダ２０への綴込みを可能にする透孔１５，１５を備えていることにより、ディスク１０の枚数が増加した場合には、保護袋１１ごとケース１から取り外して、バインダ２０へ綴じ込むことができ、これによって、限られたスペース内に大量のディスクを収納することが可能になる。また、ユーザの嗜好に応じた分別ファイリングが可能になる利点もある。
【００２０】
なお、上述した本実施の形態では、保護袋１１の側縁１１ｂが粘着剤を介してケース１に取外し可能に固着されているが、これに代え、図８に示す保護袋１１′のように、ケース１に対し保護袋１１の側縁１１ｂを恒久的に固定するとともに、この側縁１１ｂの近傍にこれと平行にミシン目１６を施して、ケース１と保護袋１１とを、必要に応じてミシン目１６から引裂き可能な連結状態にしておいてもよい。また、ミシン目１６を施さずに、この部位を鋏による切断可能な連結状態にしておいてもよい。さらには、保護袋１１がケース１に対して非固着状態で、すなわち「ばら」の状態で収納されていてもよい。
【００２１】
図９および図１０は、本発明によるディスク収納ケースの他の実施の形態を示す図で、図９は、ディスク入り保護袋がケース本体内に収容される以前の状態で示す分解斜視図、図１０は保護袋収容後の状態を示す斜視図である。本実施の形態は、保護袋１１が備えている透孔（パンチ孔）１５，１５を利用した収納構造である。
【００２２】
図９に示すディスク収納ケース３０は、ケース本体３１と、このケース本体３１に対し軸線Ｌの周りで開閉可能に軸支された蓋部材３２とからなり、図９に示すように、ケース本体３１の軸線Ｌに沿った一辺の近傍内面に、保護袋１１の透孔（パンチ孔）１５，１５に同時に挿入可能な間隔と外径を有する２本の中空円筒３３，３３が立設されている。各中空円筒３３の先端には孔３３ａが開口しており、これら孔３３ａ，３３ａに対し同時に挿入可能な突起３５，３５を一方の面に備えた短冊状の係止板３４が用意されている。
【００２３】
そして、所望枚数のディスク入り保護袋１１を、それらの透孔１５，１５に中空円筒３３，３３が挿入される態様でケース本体３１内に収容した後、係止板３４の突起３５，３５を中空円筒３３，３３の孔３３ａ，３３ａに挿入して、図１０に示すように保護袋１１を係止板３４で押さえた後、蓋部材３２を被せることによって、所望枚数のディスク入り保護袋１１をケース３０内に収納することができる。
【００２４】
図１１は保護袋の他の実施の形態を示す平面図である。この保護袋１１″の表側は、ケース１に取外し可能に固着される側縁１１ｂに対向する側縁１１ｃと上縁１１ａとの間の隅部からディスク１０の中心部に向かって開口部１７が形成されて、ディスク１０の中心孔１０ａが露出されているとともに、上縁１１ａおよび側縁１１ｃの一部が開口部１７からそれぞれ１８ａ，１８ｃの範囲に亘って切り開かれて、ディスク１０の中心孔１０ａに指を掛けてディスク１０を矢印Ｃに示す斜め右上方へ引き出すことを可能にしている。
【００２５】
なお、この場合、図１２に示すように、上縁１１ａと側縁１１ｃとの間の隅部に、ディスク１０の表側の縁部に僅かに懸かる領域１９ａを備えた袋状部１９を残して置くことにより、保護袋１１″からのディスク１０の不用意な脱出を防止することができる。この場合も、袋状部１９を摘んで右上方から保護袋１１″の裏面側に回すように引っ張ることにより、領域１９ａをディスク１０の表側から裏面側に移してディスク１０の右上端部までを露出させてから、ディスク１０を矢印Ｃに示す斜め右上方へ引き出せばよい。
【図面の簡単な説明】
【００２６】
【図１】本発明によるディスク収納ケースの一実施の形態を閉状態で示す斜視図である。
【図２】図１のケース内に収納されるディスクの保護袋の平面図である。
【図３】図２の保護袋内からディスクを取り出すときの状態を示す平面図である。
【図４】図１のケースを開いた状態の斜視図である。
【図５】図４の状態のケースからディスク保護袋を取り外した状態を示す斜視図である。
【図６】ディスクの保護袋をバインダに綴じ込んだ状態を示す斜視図である。
【図７】ディスクの保護袋を図６のバインダとは別の構造を有するバインダに綴じ込んだ状態を示す分解斜視図である。
【図８】ディスクの保護袋の他の実施の形態を示す平面図である。
【図９】本発明によるディスク収納ケースの他の実施の形態を、ディスク入り保護袋がケース本体内に収容される以前の状態で示す分解斜視図である。
【図１０】図９のディスク収納ケースにおいて、ディスク入り保護袋がケース本体内に収容された状態を示す斜視図である。
【図１１】ディスクの保護袋のさらに他の実施の形態を示す平面図である。
【図１２】図１１の保護袋の他の実施の形態を示す平面図である。
【符号の説明】
【００２７】
１，３０    ディスク収納ケース
２，３１    ケース本体
３    背表紙部
４，３２    蓋部材
５    保護袋固着部
１０    ディスク
１１，１１′，１１″    ディスクの保護袋
１０    ディスク
１５    透孔（パンチ孔）
１７    開口部
２０，２０′    バインダ
３３    中空円筒
３４    係止板
【図１】
2006036275.tif 000003
【図２】
2006036275.tif 000004
【図３】
2006036275.tif 000005
【図４】
2006036275.tif 000006
【図５】
2006036275.tif 000007
【図６】
2006036275.tif 000008
【図７】
2006036275.tif 000009
【図８】
2006036275.tif 000010
【図９】
2006036275.tif 000011
【図１０】
2006036275.tif 000012
【図１１】
2006036275.tif 000013
【図１２】
2006036275.tif 000014